(57)【特許請求の範囲】
【請求項１】
少なくとも第１の情報が記録されている第１の記録層と第２の情報が記録されている第２の記録層とを備え、
上記第１の記録層と上記第２の記録層の少なくともいずれか一方の記録層の目録情報が記録されている目録情報領域に、上記第１の記録層に記録されている上記第１の情報と上記第２の記録層に記録されている上記第２の情報とを各々再生する再生モードを示す識別信号又は上記第１の記録層に記録されている上記第１の情報と上記第２の記録層に記録されている上記第２の情報とを演算して再生信号を生成する第２の再生モードを示す識別信号が記録されている記録媒体。
【請求項２】
少なくとも第１の情報が記録されている第１の記録層と第２の情報が記録されている第２の記録層とを備え、
上記第１の記録層と上記第２の記録層のうちの再生時に最初に読み出される記録層の目録情報が記録されている目録情報領域に、上記第１の記録層に記録されている上記第１の情報と上記第２の記録層に記録されている上記第２の情報とを各々再生する再生モードを示す識別信号又は上記第１の記録層に記録されている上記第１の情報と上記第２の記録層に記録されている上記第２の情報とを演算して再生信号を生成する第２の再生モードを示す識別信号が記録されている記録媒体。
【請求項３】
少なくとも第１の情報が記録されている第１の記録層と第２の情報が記録されている第２の記録層とを備え、上記第１の記録層と上記第２の記録層の少なくともいずれか一方の記録層の目録情報が記録されている目録情報領域に、上記第１の記録層に記録されている上記第１の情報と上記第２の記録層に記録されている上記第２の情報とを各々再生する識別信号又は上記第１の記録層に記録されている上記第１の情報と上記第２の記録層に記録されている上記第２の情報とを演算して再生する識別信号が記録されている記録媒体から上記第１の情報及び第２の情報を読み出す読み出し手段と、
上記読み出し手段からの出力信号に基づいて再生信号を出力する再生処理手段と、
上記読み出し手段によって読み出された識別信号に基づいて上記再生処理手段を切り換える制御手段とを備え、
上記制御手段は、上記第１の記録層に記録されている上記第１の情報と上記第２の記録層に記録されている上記第２の情報とを各々再生する識別信号を検出したとき、上記第１の記録層に記録されている上記第１の情報と上記第２の記録層に記録されている上記第２の情報とを各々再生するように上記再生処理手段を切り換え、
上記第１の記録層に記録されている上記第１の情報と上記第２の記録層に記録されている上記第２の情報とを演算して再生する識別信号を検出したとき、上記第１の記録層に記録されている上記第１の情報と上記第２の記録層に記録されている上記第２の情報とを演算して再生するように上記再生処理手段を切り換える記録媒体の再生装置。
【請求項４】
上記再生処理手段は、上記制御手段からの制御信号に基づいて上記読み出し手段によって読み出された上記第１の情報と上記第２の情報を演算処理して出力する演算処理部を備えてなる請求項３記載の記録媒体の再生装置。
【請求項５】
上記演算処理手段は、上記読み出し手段によって読み出された上記第１の情報若しくは上記第２の情報のいずれか一方の情報が書き込まれるバッファメモリと、上記読み出し手段によって読み出された他方の情報と上記バッファメモリから読み出された情報とを演算する演算部とを備えている請求項４記載の記録媒体の再生装置。
【請求項６】
上記記録媒体の上記第１の記録層と上記第２の記録層のうちの再生時に最初に読み出される記録層の目録情報が記録されている目録情報領域に、上記第１の記録層に記録されている上記第１の情報と上記第２の記録層に記録されている上記第２の情報とを各々再生する識別信号又は上記第１の記録層に記録されている上記第１の情報と上記第２の記録層に記録されている上記第２の情報とを演算して再生する識別信号が記録されている請求項３記載の記録媒体の再生装置。
【請求項７】
少なくとも第１の情報が記録されている第１の記録層と第２の情報が記録されている第２の記録層とを備え、上記第１の記録層と上記第２の記録層の少なくともいずれか一方の記録層の目録情報が記録されている目録情報領域に、上記第１の記録層に記録されている上記第１の情報と上記第２の記録層に記録されている上記第２の情報とを各々再生する再生モードを示す識別信号又は上記第１の記録層に記録されている上記第１の情報と上記第２の記録層に記録されている上記第２の情報とを演算して再生信号を生成する第２の再生モードを示す識別信号が記録されている記録媒体から上記第１の情報及び第２の情報を読み出し、
上記第１の記録層に記録されている上記第１の情報と上記第２の記録層に記録されている上記第２の情報とを各々再生する識別信号を検出したとき、上記第１の記録層に記録されている上記第１の情報と上記第２の記録層に記録されている上記第２の情報とを各々再生するようにし、
上記第１の記録層に記録されている上記第１の情報と上記第２の記録層に記録されている上記第２の情報とを演算して再生する識別信号を検出したとき、上記第１の記録層に記録されている上記第１の情報と上記第２の記録層に記録されている上記第２の情報とを演算して再生するようにする記録媒体の再生方法。
【請求項８】
上記記録媒体の上記第１の記録層と上記第２の記録層のうちの再生時に最初に読み出される記録層の目録情報が記録されている目録情報領域に、上記第１の記録層に記録されている上記第１の情報と上記第２の記録層に記録されている上記第２の情報とを各々再生する識別信号又は上記第１の記録層に記録されている上記第１の情報と上記第２の記録層に記録されている上記第２の情報とを演算して再生する識別信号が記録されている請求項７記載の記録媒体の再生方法。
【発明の詳細な説明】
【０００１】
【発明の属する技術分野】
本発明は、第１及び第２の記録層を備えた記録媒体及びこの記録媒体に記録された情報を再生する再生装置に関し、さらに詳しくは、第１及び第２の記録層に記録された第１及び第２の情報を演算して再生し、あるいは第１の情報と第２の情報を各々再生するようにした再生装置及びその再生方法に関する。
【０００２】
【従来の技術】
従来、オーディオ情報やビデオ情報等の各種情報の記録媒体として、この記録媒体に記録された情報を光ビームを用いて再生するようにした光ディスクが広く用いられている。この種の光ディスクにあっては、記録可能な情報量の増大を図るため、記録層の多層化を図ったものが提案されている。
【０００３】
【発明が解決しようとする課題】
ところで、従来提案されている複数の記録層を設けた光ディスクは、各記録層に記録された情報を各記録層毎に順次再生されるように記録している。すなわち、この光ディスクは、一の記録層に記録された情報の再生が終了した後、他の記録層の情報の再生が行われることによって、各記録層に記録された全ての情報の再生が行われる。
【０００４】
あるいは、光ディスクの一の記録層に設けられた複数のセクタ中の一つを再生した後、他の記録層に設けられた複数のセクタ中の一つを再生するようにしている。
【０００５】
このように、従来提案されている多層型の光ディスクは、複数の記録層が設けられることにより記録容量の増大が図られているが、各記録層に記録された情報は相互に関連することなく再生される。そのため、各記録層に記録された情報は、各記録層に記録されたままの状態で再生が行われるのみである。
【０００６】
本発明の目的は、複数の記録層にそれぞれ記録された情報を多様な再生モードで再生し、多様な再生情報を得ることができる記録媒体及びその記録媒体の再生装置並びに再生方法を提供することにある。
【０００７】
本発明の他の目的は、複数の記録層にそれぞれ記録された情報を多様な再生モードで再生することを可能とすることにより、多様な形態の情報を記録し、この多様な情報を多様な形態で再生することができる記録媒体及びその記録媒体の再生装置並びに再生方法を提供することにある。
【０００８】
【課題を解決するための手段】
上述のような目的を達成するために提案される本発明に係る記録媒体は、少なくとも第１の情報が記録されている第１の記録層と第２の情報が記録されている第２の記録層とを備え、上記第１の記録層と上記第２の記録層の少なくともいずれか一方の記録層の目録情報が記録されている目録情報領域に、上記第１の記録層に記録されている上記第１の情報と上記第２の記録層に記録されている上記第２の情報とを各々再生する再生モードを示す識別信号又は上記第１の記録層に記録されている上記第１の情報と上記第２の記録層に記録されている上記第２の情報とを演算して再生信号を生成する第２の再生モードを示す識別信号が記録されている。
【０００９】
再生モードを示す識別情報は、最初に読み出される記録層に記録されることにより、直ちに再生モードの選択が行われる。
【００１０】
また、本発明に係る再生装置は、少なくとも第１の情報が記録されている第１の記録層と第２の情報が記録されている第２の記録層とを備え、上記第１の記録層と上記第２の記録層の少なくともいずれか一方の記録層の目録情報が記録されている目録情報領域に、上記第１の記録層に記録されている上記第１の情報と上記第２の記録層に記録されている上記第２の情報とを各々再生する識別信号又は上記第１の記録層に記録されている上記第１の情報と上記第２の記録層に記録されている上記第２の情報とを演算して再生する識別信号が記録されている記録媒体から上記第１の情報及び第２の情報を読み出す読み出し手段と、上記読み出し手段からの出力信号に基づいて再生信号を出力する再生処理手段と、上記読み出し手段によって読み出された識別信号に基づいて上記再生処理手段を切り換える制御手段とを備えている。上記制御手段は、上記第１の記録層に記録されている上記第１の情報と上記第２の記録層に記録されている上記第２の情報とを各々再生する識別信号を検出したとき、上記第１の記録層に記録されている上記第１の情報と上記第２の記録層に記録されている上記第２の情報とを各々再生するように上記再生処理手段を切り換え、上記第１の記録層に記録されている上記第１の情報と上記第２の記録層に記録されている上記第２の情報とを演算して再生する識別信号を検出したとき、上記第１の記録層に記録されている上記第１の情報と上記第２の記録層に記録されている上記第２の情報とを演算して再生するように上記再生処理手段を切り換える。
【００１１】
さらに、再生処理部には、制御部からの制御信号に基づいて読み出し部によって読み出された第１の情報と第２の情報を演算処理して出力する演算処理部を備える。
【００１２】
この演算処理部は、読み出し部によって読み出された第１の情報若しくは第２の情報のいずれか一方の情報が書き込まれるバッファメモリと、読み出し部によって読み出された他方の情報とバッファメモリから読み出された情報とを演算する演算部とを備えている。
【００１５】
本発明に係る記録媒体の再生方法は、少なくとも第１の情報が記録されている第１の記録層と第２の情報が記録されている第２の記録層とを備え、上記第１の記録層と上記第２の記録層の少なくともいずれか一方の記録層の目録情報が記録されている目録情報領域に、上記第１の記録層に記録されている上記第１の情報と上記第２の記録層に記録されている上記第２の情報とを各々再生する再生モードを示す識別信号又は上記第１の記録層に記録されている上記第１の情報と上記第２の記録層に記録されている上記第２の情報とを演算して再生信号を生成する第２の再生モードを示す識別信号が記録されている記録媒体から上記第１の情報及び第２の情報を読み出し、上記第１の記録層に記録されている上記第１の情報と上記第２の記録層に記録されている上記第２の情報とを各々再生する識別信号を検出したとき、上記第１の記録層に記録されている上記第１の情報と上記第２の記録層に記録されている上記第２の情報とを各々再生するようにし、上記第１の記録層に記録されている上記第１の情報と上記第２の記録層に記録されている上記第２の情報とを演算して再生する識別信号を検出したとき、上記第１の記録層に記録されている上記第１の情報と上記第２の記録層に記録されている上記第２の情報とを演算して再生するようにする。
【００１６】
【発明の実施の形態】
以下、本発明を光ディスクに適用した例を挙げて説明する。
【００１７】
本発明に係る光ディスク１は、図１に示すように、光透過性を有するポリカーボネート樹脂などの合成樹脂やガラス等を用いた基板２を備える。この基板２の一方の面側には、例えば記録される第１の情報であるオーディオ情報やビデオ情報等に対応する微少な凹凸パターンであるピットパターン３が設けられている。このピットパターン３は、基板２が合成樹脂により形成される場合には、基板２を射出成形する際、基板２の成形と同時に形成される。また。基板２がガラスにより形成される場合には、２Ｐ（Photo Polymerization）法を用いて形成される。２Ｐ法は、ガラス基板とディスクスタンパとの間に光硬化型樹脂を充填し、ガラス基板側からの光照射により光硬化型樹脂を硬化させることによって凹凸パターンを形成する。
【００１８】
この例の光ディスク１に用いられる基板２は、ポリカーボネート樹脂を射出成形したものであって、この基板２の一方の面側に記録情報がピットパターン３により記録されている。この基板２は、従来用いられている直径を１２ｃｍとなす光ディスクであるコンパクトディスクの基板と同様にその厚みをほぼ１．２ｍｍとして形成されている。
【００１９】
基板２のピットパターン３が形成された一方の面には、図１に示すように、ピットパターン３に沿って第１の記録層４が設けられている。第１の記録層４は、基板２側から照射される光ビームを一定量透過し、一定量を反射する半透過膜として形成され、Ｓｉ3Ｎ4、ＳｉＯ2等のシリコン系の膜を１００ｎｍ〜５００ｎｍ程度の厚さに成膜して形成される。このとき、第１の記録層４は、Ｓｉ3Ｎ4膜やＳｉＯ2膜を多層に成膜して形成される。第１の記録層４を構成するＳｉ3Ｎ4膜やＳｉＯ2膜は、真空蒸着法あるいはスパッタリング法により成膜される。
【００２０】
第１の記録層４上には、光透過性を有する紫外線硬化型樹脂などからなる中間層５を介して第２の記録層６が形成される。中間層５は、第１の記録層４と第２の記録層６とが、これら記録層４，６に光ビームを収束させて照射させる対物レンズの焦点深度内に位置しないように光学的に分離する役割を果たすものであるので、所定の厚さを有するように形成される。具体的には、３０μｍ程度の厚さに形成されている。中間層５は、厚さが薄いと、第１の記録層４からの反射光と第２の記録層６からの反射光とを十分に分離することができなくなって各反射光を正確に検出することが難しくなり、また、あまり厚くなると球面収差等を発生させてしまうことから、これらの点を考慮して適正な厚さが選択される。
【００２１】
ここで、中間層５は、紫外線硬化型樹脂等をスピンコート法により塗布することによって形成される。あるいは、紫外線硬化型樹脂等を５μｍ〜１０μｍ程度の厚さで複数回に分けて積層形成したものであってもよい。さらに、中間層５は、透明シートを張り付けることによって形成したものであってもよい。
【００２２】
中間層５の一方の面側には、第２の記録層６に記録される第２の情報であるオーディオ情報やビデオ情報等に対応する微少な凹凸パターンであるピットパターン７が形成されている。このピットパターン７は、ガラス基板にピットパターンを形成する場合に用いる前述した２Ｐ法により形成することができる。
【００２３】
中間層５の一方の面に形成されたピットパターン７に沿って積層するように第２の記録層６が形成されている。第２の記録層６は、第１の記録層４を透過して照射される光ビームを基板２側に位置する光ピックアップに高効率で反射させるため、アルミニウム（Ａｌ）、金（Ａｕ）、銀（Ａｇ）等の高反射率を確保できる材料からなる膜を成膜することによって形成されている。この第２の記録層６上には、第２の記録層６の表面を保護するため、紫外線硬化型樹脂等からなる保護層８が設けられる。この保護層８は、紫外線硬化型樹脂等をスピンコート法により塗布することによって形成される。
【００２４】
上述した光ディスク１は、図２に示すように、中心部にセンター孔１１が設けられ、このセンター孔１１の周囲にクランピングエリア１２が設けられている。この光ディスク１は、センター孔１１を光ディスク再生装置側に設けられるディスク回転駆動機構のディスクテーブルの中心に設けられるセンタリング部に係合させ、クランピングエリア１２をディスクテーブル上に載置するとともにクランプ部材によってクランプされることによって、ディスクテーブルへの芯出しが図られてディスクテーブルと一体に回転可能に装着される。
【００２５】
このように、光ディスク１は、内周側にディスク回転駆動機構にクランプされるクランピングエリア１２が設けられるので、クランピングエリア１２の外周側に第１及び第２の記録層４，６が設けられる。
【００２６】
ところで、光ディスク１は、基板２側から光ビームを照射し、第１及び第２の記録層４，６からの反射される戻りの光ビームを基板２側に配置した光検出器により検出することにより第１及び第２の記録層４，６に記録された第１及び第２の情報の再生を行うものであるので、第１の記録層４は光ビームを第２の記録層６側に所定量透過することを可能となす半透過膜として形成され、第２の記録層６は第１の記録層４を透過して照射される光ビームを高効率で反射するように形成されている。すなわち、第２の記録層６の反射率を第１の記録層４の反射率より高くしている。
【００２７】
さらに具体的に、本発明に係る光ディスク１の第１の記録層４は、反射率が１１％となされ、第２の記録層６の反射率が９９％となされている。ここで、ポリカーボネート樹脂で形成された基板２の光ビームの拡散・吸収率が５％であるとすると、図３に示すように、基板２側から光ビームＬ1を入射したとき、第１の記録層４から１０％が戻りの光ビームＬ2として反射され、８５％が第１の記録層４を透過して第２の記録層６に入射する。このとき、中間層５の光ビームの拡散・吸収率はほぼ零であるので、第２の記録層６にほとんど入射される。第２の記録層６に入射された光ビームＬ3は、９９％の反射率を有する第２の記録層６に反射され、戻りの光ビームＬ4となって反射率が１１％の第１の記録層４及び拡散・吸収率が５％の基板２を透過して光ディスク１の外部に出力される。この第２の記録層６から反射される戻りの光ビームＬ4の戻り率は、最初に基板２に入射される光ビームＬ1の約７１％となる。
【００２８】
また、光ディスク１の他の例として、第１の記録層４の反射率を２０％とし、第２の記録層６の反射率が９９％とすると、第１の記録層４から最初に基板２に入射される光ビームＬ1の１８％が戻りの光ビームＬ2として反射され、第２の記録層６から最初に基板２に入射される光ビームＬ1の約５７％が戻りの光ビームＬ4となって反射される。
【００２９】
このように、第１の記録層４の反射率を小さくなし、光透過率を上げて第２の記録層６を大きな反射率とすることにより、第２の記録層６から反射される戻りの光ビームの光量を十分に確保することができる。この反射率が高い第２の記録層６の情報記録エリア１４に記録された第２の情報は、高反射率が要求される従来用いられている光ディスク再生装置も十分に再生することができる。すなわち、第２の記録層６は、従来用いられているコンパクトディスク（以下、単にＣＤという。）と同様に取り扱うことができる。
【００３０】
ところで、光ディスク１の第１及び第２の記録層４，６には、それぞれ独立した曲に対応したオーディオ情報が第１及び第２の情報として記録される。また、従来用いられているＣＤと同様に取り扱うことができる第２の記録層６に独立した曲に対応したオーディオ情報が第２の情報として記録され、第１の記録層４にに広告宣伝を目的とした新曲の情報等が第１の情報として記録される。
【００３１】
さらに、第１記録層４と第２の記録層６には、互いに関連する第１の情報及び第２の情報が記録されている。互いに関連する第１及び第２の情報は、互いに合成されて一つの単位記録情報を構成するものであって、例えば、サラウンドの再生を可能となすマルチチャンネルのオーディオ情報等である。
【００３２】
マルチチャンネルのオーディオ情報は、図４に示すように、音響空間の前方側に配置された左右のフロントスピーカ１１，１２に入力される左右のフロントチャンネルデータと、左右のリアスピーカ１３，１４に入力される左右のリアチャンネル情報である。
【００３３】
ここで、左右のフロントチャンネル情報が第２の情報として第２の記録層６に記録され、左右のリアチャンネル情報が第１の情報として第１の記録層４に記録される。
【００３４】
第２の記録層６に第２の情報として記録される左右のフロントチャンネル情報Ｌｆ，Ｒｆは、図５（Ａ）に示すように、左右のチャンネル情報毎に１６ビットの情報でとして量子化されている。また、第１の記録層４に第１の情報として記録される左右のリアチャンネル情報ＬB，ＲBも、図５（Ｂ）に示すように、左右のチャンネル情報毎に１６ビットの情報でとして量子化されている。
【００３５】
第１の記録層４に記録される第１の情報は、図６に示すように、この第２の情報と関連する第１の情報が記録されている第１の記録層４の位置Ａ1，Ａ2・・・の近傍の第２の記録層６の位置Ｂ1，Ｂ2・・・に記録されている。特に、第２の情報は、この第２の情報と関連する第１の情報が記録されている第１の記録層４の位置Ａ1，Ａ2から光ディスク１の第１及び第２の記録層４，６の第１の情報若しくは第２の情報を読み出す読み出し機構を構成する光ピックアップの対物レンズ１５を第１及び第２の記録層４，６に形成された記録トラックと略直交する図６中矢印Ｘ方向に移動させてアクセス可能な範囲Ｄ1内に記録されている。この範囲Ｄ1は、光ピックアップをピックアップ送り機構により記録トラックと直交する方向に送り操作するスレッド送りを行うことなく対物レンズ１５の視野内の移動でアクセス可能な範囲であり、約２００μｍ程度の範囲である。さらに具体的には、第１及び第２の情報がそれぞれ記録される領域の先頭の位置が約２００μｍの範囲内に位置するように第１及び第２の情報が記録される。例えば、第１及び第２の情報をコンパクトディスク（以下、単にＣＤという。）の標準記録フォーマットで第１及び第２の記録層４，６にそれぞれ記録したとき、第１及び第２の情報の記録位置の範囲Ｄ1が１００μｍとすると、第１及び第２の記録層４，６に同心円状若しくは螺旋状に向けられた記録トラックの６０本内の位置に記録される。
【００３６】
また、第１及び第２の記録層４，６には、さらに種々の互いに関連して一つの単位記録情報を構成する第１及び第２の情報を第１及び第２の記録層４，６に記録するようにしてもよい。
【００３７】
例えば、光ディスク１に記録されるオーディオ情報が、図７に示すように、音響空間の前方側に配置された左右のフロントスピーカ２１，２２に入力される左右のフロントチャンネルデータＬｆ，Ｒｆと、後方側に配置されるリヤスピーカ２３に入力されるリアチャンネルデータＢと、頭上に配置される上方スピーカ２４に入力される上方チャンネルデータＨで構成されるマルチチャンネルデータであるとき、図８に示すように、フロントチャンネルデータＬｆ，Ｒｆを第２の情報として第２の記録層６に記録し、リアチャンネルデータＢと上方チャンネルデータＨを第１の情報として第１の記録層４に記録するようにする。
【００３８】
このようにマルチチャンネルオーディオ情報を第１及び第２の記録層４，６に分割して記録することにより、第２の記録層６に記録された第２の情報のみを再生することにより、左右のフロントスピーカ２１，２２を用いたステレオ再生が行われ、第１及び第２の記録層４，６に記録された第１及び第２の情報を合成して再生することにより、左右のフロントスピーカ２１，２２とリヤスピーカ２３と上方スピーカ２４を用いたマルチステレオ再生を行うことができる。
【００３９】
さらに、光ディスク１に記録されるオーディオ情報が、図９に示すように、音響空間の前方側に配置された左右のフロントスピーカ３１，３２に入力される左右のフロントチャンネルデータＬｆ，Ｒｆと、後方側に配置される左右のリヤスピーカ３３，３４に入力されるリアチャンネルデータＬB，ＲBと、頭上に配置される上方スピーカ３５に入力される上方チャンネルデータＨで構成されるマルチチャンネルデータであるとき、図１０に示すように、フロントチャンネルデータＬｆ，Ｒｆを第２の情報として第２の記録層６に記録し、リアチャンネルデータＬB，ＲBと、上方チャンネルデータＨを第１の情報として第１の記録層４に記録するようにする。このとき、第１の記録層４に記録される左右チャンネルの各データが１６ビットの量子化データである第２の情報中の上位１２ビットをリアチャンネルデータＬB，ＲBとして用い、下位４ビットを上方チャンネルデータＨとして用いるように記録する。
【００４０】
さらにまた、図１１に示すように、１６ビットのフロントチャンネルデータＬｆ，Ｒｆを第２の情報として第２の記録層６に記録し、第１の記録層４に記録される左右チャンネルの各データが１６ビットの量子化データである第１の情報中の上位１０ビットをリアチャンネルデータＬB，ＲBとして用い、中位５ビットを中域の周波数帯域のオーディオ信号のデータとして用い、下位１ビットを低域の周波数帯域のオーディオ信号のデータとして用いるように記録する。
【００４１】
さらにまた、１６ビット、あるいは３２ビットに量子化されたオーディオデータ等のデータの奇数サンプルと部数サンプルを第１及び第２の記録層４，６に第１及び第２の情報として記録される。
【００４２】
上述したように第１及び第２の情報を記録する場合においても、第１及び第２の情報は、対物レンズ１８の視野内の移動でアクセス可能な範囲内に記録される。
【００４３】
このように、互いに関連して一単位の記録情報を構成する情報を第１及び第２の記録層４，６、さらに３層以上の複数の記録層に分割して記録することにより、一の光ディスク１に記録される記録容量の増大を図ることに加えて多様な情報の再生を行うことができる。
【００４４】
また、光ディスク１の第１及び第２の記録層４，６に記録される第１及び第２情報には種々のものがある。
【００４５】
例えば、第２の情報を量子化データの上位ビットとし、第１の情報を量子化データの下位ビットとし、第２の情報をオーディオ情報とするとき、第１の情報をこのオーディオ情報に関連する歌詞などのテキストデータや画像データとし、さらに、第２の情報を画像データとするとき、第１の情報をこの画像データに関する字幕や解説などとして記録するようにしてもよい。
【００４６】
さらにまた、第１の記録層４には、歌唱とこの歌唱の伴奏音楽からある一連の楽曲から分離された伴奏音楽に相当するオーディオ情報が第１の情報として記録され、第２の記録層６には、歌唱とこの歌唱の伴奏音楽からある一連の楽曲の全体を含むオーディオ情報が第２の情報として記録されている。
【００４７】
第１及び第２の記録層４，６へのオーディオ情報の記録は、種々の形態が可能であって、第１の記録層４に歌唱とこの歌唱の伴奏音楽からなる一連の楽曲から分離された伴奏音楽に相当するオーディオ情報が第１の情報として記録され、第２の記録層６に歌唱に相当するオーディオ情報が第２の情報として記録される。
【００４８】
また、複数種類の楽器で演奏される管弦楽の如き楽曲にあっては、第１の記録層４に管弦楽のピアノの演奏部分に相当するオーディオ情報が第１の情報として記録され、第２の記録層６に一連の管弦楽の全体を含むオーディオ情報が第２の情報として記録さる。
【００４９】
ところで、第１の記録層４上に積層されるように設けられる第２の記録層６は、第１の記録層４が設けられた部分よりさらに内周側のクランピングエリア１２の近傍のエリアまで延長して設けられている。この第２の記録層６の第１の記録層４が対向しない内周側のエリアには、この光ディスク１を光ディスク再生装置に装着したとき、第１及び第２の記録層４，６の情報記録エリア１３，１４に予め記録された第１の情報及び第２の情報の再生に先立って読み出される制御用のデータの少なくとも一部が記録されたリードインエリア１５が設けられている。このリードインエリア１５に記録される制御用のデータは、例えば第２の記録層６に記録されたデータの読み出しに必要なデータの一部である光ビームの第２の記録層に対するフォーカシング位置を制御するデータや光ビームのトラッキング制御用のデータや、第１の記録層４に記録された第１の情報の読み出しに必要なデータの一部である例えば光ビームの第１の記録層４に対するフォーカシング位置を制御するデータや光ビームのトラッキング用のデータである。
【００５０】
リードインエリア１５には、第２の記録層６の情報記録エリア１４に記録された第２の情報の内容を示す目録情報も記録される。
【００５１】
さらにまた、リードインエリア１５には、第１の記録層４と第２の記録層６に記録された第１及び第２の情報の再生モードを示す識別信号が記録される。これら再生モードを示す識別信号は、第１及び第２の記録層４，６にそれぞれ独立した曲に対応したオーディオ情報が第１及び第２の情報として記録されている場合には、第１及び第２の情報をそれぞれ出力するように再生装置を制御する信号が記録される。
【００５２】
そして、第１及び第２の記録層４，６に種々の互いに関連して一つの単位記録情報を構成する第１及び第２の情報がそれぞれ記録されている場合には、第１及び第２の情報を演算処理して出力するように再生装置側の再生処理部を制御する識別信号が記録される。
【００５３】
なお、リードインエリア１５に記録される識別信号を含む制御用データや目録情報等も、情報記録エリア１３，１４に記録される第１及び第２の情報と同様に、微少な凹凸パターンであるピットパターン７によって記録されている。
【００５４】
また、光ディスク１は、リードインエリア１５が第２の記録層６にのみ設けられているので、この光ディスク１を光ディスク再生装置に装着した場合には、第２の記録層６に設けたリードインエリア１５に記録された識別信号を含む目録情報等の制御用のデータを読み出した後、第１の記録層４又は第２の記録層６に記録された第１及び第２の情報の再生が行われる。
【００５５】
なお、リードインエリア１５は、光ディスク再生装置に装着したとき、光ディスク再生装置側に設けられる光ピックアップ装置から出射される光ビームによって走査可能な領域に設けられる。
【００５６】
このように、係る光ディスク１は、第２の記録層６が第１の記録層４の内周側に延長して形成され、この延長された部分にリードインエリア１５が設けられているので、第１の記録層４は、図１に示すように、リードインエリア１５の外側のエリアに設けられることになる。この光ディスク１の第２の記録層６のリードインエリア１５が設けられた部分は、光ビームが入射される基板２から第２の記録層６に至るまで、光ビームを反射する層が設けられない構造となされているので、第１の記録層４により減衰されることなく入射されて反射される光ビームを検出することができ、リードインエリア１５に記録された制御用のデータを高精度に読み取ることができる。
【００５７】
また、第２の記録層６に設けられたリードインエリア１５に記録され識別信号を含む目録情報等の制御用のデータを読み取る際、第１の記録層４により反射される光ビームをなくすことができるので、ノイズ成分を重畳させることなく正確に読み取ることができる。
【００５８】
また、リードインエリア１５には、第１及び第２の記録層４，６の情報記録エリア１３，１４に予め記録された第１及び第２の情報の再生に先立って読み出される制御用のデータとして、第１の記録層４の反射率に関するデータが記録される。第１の記録層４の反射率に関するデータがリードインエリア１５に記録されることにより、第１の記録層４の反射率が第２の記録層６に比し小さいような場合に、第２の記録層６に記録された第２の情報を読み取る際、読み取りデータを増幅する増幅回路の利得の切り換えを予め行うなどして、第２の記録層６に記録された第２の情報を正確に読み取るようにすることができる。
【００５９】
さらに、リードインエリア１５に、第２の記録層６に加えて第１の記録層４が設けられていることを示すデータを記録することにより、この光ディスク１を光ディスク再生装置に装着したとき多層の光ディスク１であることを直ちに識別できる。光ディスク再生装置に装着して直ちに第１の記録層４が設けられている光ディスク１であること認識できると、第１及び第２の記録層４，６を有する光ディスク１を再生する操作モードを選択し、各記録層４，６に記録された第１及び第２の情報の再生を行うことができる。
【００６０】
なお、上述の光ディスク１は、光ディスク１に入射される光ビームの戻り光量の割合で示す反射率において、第２の記録層６の反射率を第１の記録層４の反射率より大きくしているが、第１の記録層４の反射率を第２の記録層６の反射率より大きくするようにしてもよい。例えば、第１の記録層４の反射率を６０％とし、第２の記録層６の反射率が９９％とすると、第１の記録層から約５４％が戻りの光ビームとして反射され、第２の記録層６から約１５％が戻りの光ビームとなって反射される。
【００６１】
このような反射率の割合で第１及び第２の記録層４，６を形成した場合であっても、第２の記録層６に設けられるリードインエリア１５に対応するエリアには、第１の記録層４が設けられないので、反射率が大きく光透過率の低い第２の記録層４の影響を受けることなく高い反射率でリードインエリア１５に記録された制御用のデータを読み取ることができる。
【００６２】
上述した光ディスク１は、第１の記録層４を第２の記録層６に設けられるリードインエリア１５に対応するエリアに設けることなく、リードインエリア１５の外側のエリアにのみ設けるようにしているが、制御用のデータなどに対応するピットパターンを設けることなく、図１２に示すように、平坦な基板２の一方の面側に第１の記録層４のみを成膜した鏡面部４１としたものであってもよい。
【００６３】
このように第２の記録層６に設けられるリードインエリア１５に対応するエリアに制御用のデータなどのデータを記録しないようにすることにより、リードインエリア１５に記録された情報を読み取る際、第１の記録層４からの読み取り信号が読み取り信号に重畳されるようなことが防止され、正確に情報の読み取りを行うことができる。
【００６４】
そして、本発明に係る光ディスク１にあっては、上述したように、第２の記録層６に少なくとも情報の読み出しに必要とされるデータを記録したリードインエリア１５を設けることにより、リードインエリア１５が設けられた第２の記録層６側から情報の読み取りが開始されるので、第１及び第２の記録層４，６に記録されたオーディオ情報などの情報の読み取り開始位置を容易に制御することができる。すなわち、リードインエリア１５に記録された制御用のデータに基づいて第１及び第２の記録層４，６の選択を容易に行うことができる。このとき、リードインエリア１５に第１の記録層４に記録された第１の情報の読み出しに必要とされるデータや、第１の記録層４の反射率、第１の記録層４が設けられていることを示すデータを記録しておくことにより、光ディスク再生装置側の設定を光ディスクの種類に応じて直ちに設定でき、所望する第１及び第２の記録層４，６に記録された情報を容易に再生することができる。
【００６５】
また、リードインエリア１５に、第１及び第２の記録層４，６に記録された情報の再生モードを示す識別信号を記録しておくことにより、第１及び第２の記録層４，６に記録された第１及び第２の情報の再生モードを直ちに選択することができる。
【００６６】
なお、識別信号は、必ずしもリードインエリア１５に記録する必要はなく、光ディスク１を装着して再生を開始するとき、最初にデータの読み出しが行われる第１又は第２の記録層４，６のいずれかの記録領域に記録したものであってもよく、第１及び第２の記録層４，６の双方に記録したものであってもよい。
【００６７】
次に、本発明に係る光ディスク１を再生する再生装置５０を説明する。
【００６８】
この再生装置５０は、図１３に示すように、光ディスク１の第１及び第２の記録層４，６にそれぞれ記録されている第１及び第２の情報を読み出す光ピックアップ５１及び信号読み出し部５２と、第１の記録層４から読み出された第１の情報を再生する再生する第１の再生部５３と、第２の記録層６から読み出された第２の情報を再生する第２の再生部５４と、第１及び第２の再生部５３，５４により再生された第１及び第２の情報が記憶されるバッファメモリ５５と、バッファメモリ５５への第１及び／又は第２の情報の書き込みと読み出しを管理するバッファマネジメント部５６と、バッファメモリ５５に記憶された第１及び第２の情報を加算又は減算等の演算処理して再生する再生部を構成するデータ混合部５７と、光ピックアップ５１を光ディスク１の目的とする記録トラックに移送するためのサーボ回路５８を備えてなる。このサーボ回路５８には、光ピックアップ４１から出射される対物レンズにより収束される光ビームが第１又は第２の記録層４，６に合焦するように切り換えるための切換部５９も備えられている。また、この再生装置５０は、サーボ回路５８の制御により光ディスク１を回転させるスピンドルモータ６０も備えている。
【００６９】
さらに、再生装置５０は、光ディスク１のリードインエリア１５に記録された第１の記録層４と第２の記録層６に記録された第１及び第２の情報の再生モードを示す識別信号に応じて、バッファマネジメント部５６を制御し、第１及び第２の記録層４，６に記録された第１及び第２の情報を順次並列に読み出す、すなわち、第１の記録層４に記録された第１の情報を再生した後、第２の記録層６に記録された第２の情報を読み出し、あるいは、第２の記録層６に記録された第２の情報を再生した後、第１の記録層４に記録された第１の情報を読み出す並列再生を行うか、第１及び第２の記録層４，６に記録された第１及び第２の情報をデータ混合部５７で演算して再生するかを選択する並列又は混合読み出し判別部６１が設けられている。さらに、光ディスク１に記録された識別信号に応じて、あるいは使用者からの指示に応じて光ディスク１の第１及び第２の記録層４，６に記録された第１及び第２の情報を選択的に再生するか、あるいは第１及び第２の記録層４，６に記録された第１及び第２の情報を演算して再生するか、あるいは従来のＣＤ等の光ディスクを再生するかを決定し、その決定結果にしたがって、サーボ回路５８、切換部５９、信号読み出し部５２及びバッファマネジメント部５６を制御する演算処理部（ＣＰＵ）６２が設けられている。
【００７０】
この再生装置５０は、光ピックアップ５１によって光ディスク１の第１及び／又は第２の記録層４，６から読み取られた第１及び／又は第２の情報は信号読み出し部５２に供給される。また、光ピックアップ５１は、サーボ回路５８及び切換部５９からの制御信号に基づいて、第１の記録層４又は第２の記録層６に光ビームを合焦させ、第１又は第２の記録層４，６を走査するように制御される。
【００７１】
光ピックアップ５１とともに情報の読み出しを行う信号読み出し部５２は、光ピックアップ５１から供給されたデータ、すなわち第１又は第２の記録層４，６から読み出された第１及び第２の情報にＲＦ処理、復調処理、エラー訂正処理等の所定の再生信号処理を施してバッファメモリ５５に供給する。
【００７２】
バッファメモリ５５は、第１及び第２の記録層４，６から読み出された第１及び第２の情報の再生用メモリである。バッファメモリ５５は、バッファマネジメント部５６によってデータの書き込み又は読み出しが管理される。
【００７３】
次に、図１３に示す再生装置５０の動作の詳細について説明する。
【００７４】
まず、この再生装置５０に光ディスク１が装着されて再生が開始されると、光ピックアップ５１は、光ディスク１の内周側に移動されてリードインエリア１５に記録された情報が読み出される。このとき、装着された光ディスク１が、第１及び第２の記録層４，６にそれぞれ独立した第１及び第２の情報が記録され、第１及び第２の情報を並列して再生する第１の再生モードを示す識別信号がリードインエリア１５に記録されたものであると、この識別信号が光ピックアップ５１及び信号読み出し部５２によって読み取られ、並列又は混合読み出し判別部６１に入力される。並列又は混合読み出し判別部６１に第１及び第２の情報を並列して再生する識別信号が読み取られると、並列又は混合読み出し判別部６１は、バッファマネジメント部５６を制御し、信号読み出し部５２で検出され第１又は第２の再生部５３，５４により所定の再生処理が施された第１又は第２の記録層４，６に記録された第１又は第２の情報を所定のタイミングでバッファメモリ５５に書き込み、さらにバッファメモリ５５から読み出し、第１又は第２の再生部５３，５４に出力し、第１及び第２の再生部５３，５４に設けた復調回路で復調され、エラー訂正回路によりエラー訂正が施されて第１の出力端子６２又は第２の出力端子６３を介して出力される。第１の情報出力端子６２又は第２の情報出力端子６３から出力される第１の情報又は第２の情報は、エラー補間部、ＬＰＦ及びＤ／Ａ変換部を介してアナログオーディオ信号に変換され、スピーカ等の音響再生部に出力される。
【００７５】
このとき、再生装置５０に設けた再生モード選択釦が操作され、光ディスク１の第１の記録層４を再生する指令信号が入力されると、ＣＰＵ６２は第１の記録層４に記録された第１の情報を再生することを決定する。第１の記録層４を再生することが決定されると、光ピックアップ５１は、スピンドルモータ６０によって回転される光ディスク１の第１の記録層４上に光ビームを合焦して第１の記録層４を走査するようにサーボ回路５８及び切換部５９によってフォーカシング位置が制御される。光ピックアップ５１が第１の記録層４を走査するように制御されると、第１の記録層４のみから反射される戻りの光ビームが信号読み出し部５２に供給され、第１の記録層４に記録された第１の情報のみが検出される。信号読み出し部４２で検出された第１の記録層４に記録された第１の情報は、第１の再生部５３により所定の再生処理が施されてバッファマネジメント部５６の管理に応じて所定のタイミングでバッファメモリ５５に書き込まれ、第１の再生部５３に設けた復調回路で復調され、エラー訂正回路によりエラー訂正されて第１の出力端子６２を介して出力される。
【００７６】
また、再生装置５０に設けた再生モード選択釦が操作され、光ディスク１の第２の記録層６に記録されている第２の情報を再生する再生モードが選択された場合にも、第１の記録層４を再生する再生モードが選択された場合と同様の処理が施されて第２の記録層６に記録された第２の情報が読み取られ、アナログオーディオ信号に変換されて第２の出力端子６３から出力される。
【００７７】
このとき、再生装置５０に設けた再生モード選択釦が操作され、第１及び第２の記録層４，６に記録された第１及び第２の情報を連続して再生する再生モードが選択されると、第１の記録層４に記録された第１の情報の再生に続いて第２の記録層６に記録された第２の情報の再生が連続して行われる。このとき、第２の記録層６に記録された第２の情報を先に再生する再生モードが選択されたときには、第２の情報に続いて第１の記録層４に記録された第１の情報の再生が行われる。
【００７８】
また、第１及び第２の記録層４，６に互いに関連する第１の情報及び第２の情報が記録され、第１及び第２の情報を演算して再生すること可能となす第２の再生モードを示す識別信号がリードインエリア１５に記録された光ディスク１が再生装置５０に装着され、再生操作が開始されると第２の再生モードを示す識別信号が光ピックアップ５１及び信号読み出し部５２によって読み取られ、並列又は混合読み出し判別部６１に入力される。並列又は混合読み出し判別部６１は、第２の再生モードを示す識別信号が入力されると、バッファマネジメント部５６を制御する。バッファマネジメント部５６は、第２の再生モードを示す識別信号が入力されると、第１及び第２の記録層４，６から読み出される第１及び第２の情報を所定にタイミングでバッファメモリ５５に書き込み、さらにバッファメモリ５５から読み出すようにバッファメモリ５５を制御する。このとき、バッファメモリ５５から、データ混合部５７にバッファメモリ５５から読み出された第１及び第２の情報を加算又は減算する演算処理を行う制御する制御信号が出力される。
【００７９】
ここで、再生装置５０に設けた再生モード選択釦が操作され、第１及び第２の情報を演算して再生する再生モードが選択されると、次のような動作によって再生が行われる。この再生モードが選択されると、制御部を構成するＣＰＵ６２は光ディスク１の第１及び第２の記録層４，６から読み出される第１及び第２の情報を演算処理して再生を行うマルチプレクス再生を行うことを決定する。マルチプレクス再生が決定されると、光ピックアップ５１は、サーボ回路５８及び切換部５９により、再生用の光ビームが第１の記録層４と第２の記録層６に切り換えられながら合焦するように制御される。光ビームの第１又は第２の記録層４，６への合焦の切り換えタイミングは、第１の記録層４に記録された第１の情報を再生した後、第２の記録層６に記録された第２の情報を再生する際に、時間軸上第１の記録層４の第１の情報の再生終了時点より前に戻って再生を開始するとともに、第１の記録層４の再生終了時点より後まで再生した後、第１の記録層４に再生を移すように行われる。
【００８０】
すなわち、図１４の（ａ）に示すように、第１の記録層４のＰ11からＰ12まで再生した後、第２の記録層６に再生を移すときには、第１の記録層４の再生終了時点Ｐ12より前に戻りＰ21から再生を開始し、第１の記録層４の再生終了時点Ｐ12より後のＰ22まで再生した後、第１の記録層４のＰ12から再生を開始する。第１の記録層４のＰ12からの再生は第２の記録層６の再生終了時点Ｐ22よりも後のＰ13まで続く。そして、第２の記録層６に再生を移すときには、第２の記録層６の再生終了時点Ｐ22に戻って第１の記録層４の再生終了時点Ｐ13よりも後のＰ23まで再生する。
【００８１】
この図１４の（ａ）に示した再生タイミングにより第１の記録層４及び第２の記録層６から読み出された第１及び第２の情報は、信号読み出し部５２に供給され、上述したタイミングにしたがった再生信号処理が施される。信号読み読み出し部５２は、第１の記録層４又は第２の記録層６から読み出された読み取り信号を出力する際に第１の記録層４及び第２の記録層６に予め記録された各記録層４，６を示す識別信号をＣＰＵ６２に出力し、ＣＰＵ６２にバッファマネジメント部５６を介してバッファメモリ５５へのデータの書き込み又は読み出しタイミングの制御を行わせる。
【００８２】
バッファメモリ５５へのデータの書き込みタイミングは、図１４の（ａ）に示した再生タイミングや信号読み出し部５２での読み取りタイミングと同様とする。これに対してバッファメモリ５５からのデータの読み出しタイミングは、バッファメモリ５６のいずれか一方へのデータの書き込みが所定量蓄積された後開始するというタイミングで行う。理論的には光ディスク１から２倍速以上の高速読み出しを行い、そのタイミングでバッファメモリ５５へのデータ書き込みを行い、第１又は第２の記録層４，６に記録された第１及び第２の情報を読み出しバッファメモリ５５に所定量書き込んだ後、第１及び第２の記録層４，６に記録された第１及び第２の情報を読み出し、第１又は第２の再生部５３，５４に出力し、第１及び第２の再生部５３，５４に設けた復調回路で復調され、エラー訂正回路によりエラー訂正されてデータ混合部５７に入力される。データ混合部５７に入力された第１及び第２の情報は、加算処理等の演算処理が施されて第３の出力端子６４から再生信号として出力される。
【００８３】
ところで、第１の記録層４及び第２の記録層６を１倍速で読むためには第１及び第２の記録層４，６の再生タイミングの切り換え時間を除いても、２倍速が必要であり、現実的には４倍速以上でスピンドルモータ６０を回転することになる。
【００８４】
なお、ＣＰＵ６２の制御により、光ピックアップ５１から出射される再生用の光ビームを第１の記録層４と第２の記録層６に切り換えながら照射させる切り換えタイミングは、図１４の（ｂ）に示すタイミングでもよい。第１の記録層４のＰ11からＰ12まで再生し、第２の記録層６に再生を移すときには、第１の記録層４の再生終了時点Ｐ12より前に戻りＰ21から再生を開始し、第１の記録層４の再生終了時点Ｐ12と同じタイミングのＰ22まで再生した後、第１の記録層４のＰ12から再生を開始する。第１の記録層４のＰ12からの再生は第２の記録層６の再生終了時点Ｐ22よりも後のＰ13まで続く。そして、第２の記録層６に再生を移すときには、第２の記録層６の再生終了時点Ｐ22に戻って第１の記録層４の再生終了時点Ｐ13と同じタイミングのＰ23まで再生する。
【００８５】
この図１４の（ｂ）に示した再生タイミングにより第１の記録層４及び第２の記録層６から読み出された信号は信号読み出し部５２に供給され、上述したタイミングにしたがった再生信号処理が施される。
【００８６】
ここで、第１及び第２の記録層４，６にサラウンドの再生を可能となすマルチチャンネルのオーディオ情報が記録され、例えば、第２の記録層６に、前述した図４に示すように、音響空間の前方側に配置された左右のフロントスピーカ１１，１２に入力される左右のフロントチャンネルデータが記録され、第１の記録層４に左右のリアスピーカ１３，１４に入力される左右のリアチャンネルデータが記録されているような場合には、第１及び第２の情報がデータ混合部５７により混合されることにより、第３の出力端子６４から４チャンネルのステレオ再生を可能となすオーディオデータが出力される。
【００８７】
なお、光ディスク１の第１及び第２の記録層４，６に記録された互いに関連して一つの単位記録データを構成する第１及び第２の情報が、光ピックアップ５１をピックアップ送り機構により記録トラックと直交する方向に送り操作するスレッド送りを行うことなく対物レンズの視野内の移動であるトラッキング制御の範囲でアクセス可能な範囲に記録されると、光ピックアップ５１のトラッキング方向の移動量を少なくでき、第１及び第２の情報を順次円滑に再生して演算して出力することができる。
【００８８】
ここで、光ディスク１の第２の記録層６に例えば３２ビットの量子化データの上位１６ビットが第２の情報として記録され、第１の記録層４に３２ビットの量子化データの下位１６ビットが第１の情報として記録されている場合に、第１及び第２の情報を上述したようにデータ混合部５７により加算処理して出力する再生モードを選択すると、再生装置５０は、３２ビットの量子化データに基づく例えば周波数帯域を広げた高品質のオーディオ情報の再生が可能となる。
【００８９】
また、光ディスク１の第２の記録層６にオーディオ情報が第２の情報として記録され、第１の記録層４にこのオーディオ情報に関連する歌詞などのテキストデータや画像データが第１の情報として記録されていると、オーディオ情報の再生とともに画像データが再生され、オーディオの再生とともに画像の再生が可能となる。
【００９０】
さらに、第１の記録層４には、歌唱とこの歌唱の伴奏音楽からある一連の楽曲から分離された伴奏音楽に相当するオーディオ情報が第１の情報として記録され、第２の記録層６には、歌唱とこの歌唱の伴奏音楽からある一連の楽曲の全体を含むオーディオデータが第２の情報として記録されている場合に、データ混合部５７で第２の情報から第１の情報を減算する演算処理が施されると、歌唱部分のみのオーディオ情報が再生信号として第３の出力端子６４から出力される。
【００９１】
また、図１３に示す再生装置５０において、第１及び第２の記録層４，６に互いに関連する第１の情報及び第２の情報が記録され、第１及び第２の情報を演算して再生すること可能となす第２の再生モードを示す識別信号がリードインエリア１５に記録された光ディスク１が装着された場合であっても、再生モード選択釦が操作され、光ディスク１の第１又は第２の記録層４，６に記録されている第１又は第２の情報のみを再生する再生モードが選択されると、ＣＰＵ６２は第１又は第２の記録層４，６からのみ第１又は第２の情報の再生を決定し、光ピックアップ５１は、光ビームがスピンドルモータ６０によって回転される光ディスク１の第１の記録層４又は第２の記録層６上に合焦して第１又は第２の記録層４，６のみを走査するようにサーボ回路５８及び切換部５９によって制御される。光ピックアップ５１が第１又は第２の記録層４，６を走査するように制御されると、第１又は第２の記録層４，６のみから反射される戻りの光ビームが信号読み出し部５２に供給され、第１又は第２の記録層４，６に記録された第１又は第２の情報のみが検出される。信号読み出し部５２で検出された第１又は第２の記録層４，６に記録された第１又は第２の情報は、所定の再生処理が施されてバッファマネジメント部５６の管理に応じて所定のタイミングでバッファメモリ５５に書き込まれ、さらにバッファメモリ５５から読み出され、第１又は第２の再生部５３，５４を介して第１又は第２の出力端子６２，６３から再生出力として出力される。
【００９２】
なお、本発明に係る光ディスク１において、上述したように少なくとも第２の記録層６を従来用いられているＣＤを再生可能な再生装置により再生可能な反射率を有するように形成するなどＣＤフォーマットを満足することにより、少なくとも第２の記録層６に記録された第２の情報は従来のＣＤを再生する再生装置で再生が可能となる。
【００９３】
次に、第１及び第２の記録層４，６を備えた光ディスク１に互いに関連する第１及び第２の情報を記録する記録装置７０を図１５を参照して説明する。
【００９４】
図１５に示す記録装置７１は、光ディスク１の第１の記録層４に記録される第１の情報に対応する第１のオーディオ信号が入力される第１の入力端子７２と、第２の記録層６に記録される第２の情報に対応する第２のオーディオ信号が入力される第２の入力端子１７２を備える。
【００９５】
ここで、第１の入力端子７２及び第２の入力端子１７２に入力される第１及び第２のオーディオ信号は、互いに合成されてサラウンドの再生を可能となすマルチチャンネルのオーディオ信号を構成する互いに関連するオーディオ信号である。すなわち、フロント及びリヤの４チャンネルの一群の関連するオーディオデータを構成するサンプリング周波数４４．１ＫＨｚの標本化と１６ビットの量子化が施される左右のフロントチャンネルデータと左右のリアチャンネルデータが、時系列上同一時点で関連するデータということができる。
【００９６】
そして、第１の入力端子７２には、左右のフロントチャンネルデータに対応する第１のオーディオ信号が入力され、第２の入力端子１７２には、左右のリアチャンネルデータに対応する第２のオーディオデータが入力される。
【００９７】
第１の入力端子７２に入力された第１のオーディオ信号は、第１のラインアンプ７４で増幅された後、ディザ発生回路７３からの小さなランダムノイズであるディザを加算する第１の加算器７５に供給される。第１の加算器７５でディザが加算された第１のオーディオ信号は第１のＬＰＦ７６により２０ＫＨｚ以下の帯域の信号のみが取り出され、第１の標本化回路７７に供給される。第１の標本化回路７７は、第１のＬＰＦ７６からのフィルタ出力に対してサンプリング周波数４４．１ＫＨｚのサンプリング処理を施す。このサンプリングデータは第１のＡ／Ｄ変換器７８により１６ビットのデジタルデータに変換される。
【００９８】
同様に、第２の入力端子１７２に入力された第１のオーディオ信号は、第２のラインアンプ１７４で増幅された後、ディザ発生回路７３からのディザを加算する第２の加算器１７５に供給される。第２の加算器１７５でディザが加算された第２のオーディオ信号は第２のＬＰＦ１７６により２０ＫＨｚ以下の帯域のみが取り出され、第２の標本化回路１７７に供給される。第２の標本化回路１７７は、第２のＬＰＦ１７６からのフィルタ出力に対してサンプリング周波数４４．１ＫＨｚのサンプリング処理を施す。このサンプリングデータは第２のＡ／Ｄ変換器１７８により１６ビットのデジタルデータに変換される。
【００９９】
そして、第１のＡ／Ｄ変換器７８から出力される第１のオーディオ信号に基づく１６ビットのデジタルデータに変換された第１のデジタルデータは、第１のバッファメモリに一旦書き込まれ読み出された後第１のエラー訂正符号化回路８０に供給され、CIRCのアルゴリズムを用いたクロスインタリーブと４次のリード・ソロモン符号の組み合わせによる符号化が施される。第１のエラー訂正符号化回路８０から出力される符号化データには第１の変調回路８１によりＥＦＭ変調が施された後、第１の記録処理回路８２により記録信号処理が施され、記録手段を構成する光ピックアップにより光ディスク１の第１の記録層４に第１の情報として記録される。
【０１００】
一方、第２のＡ／Ｄ変換器１７８から出力される第２のオーディオ信号に基づく１６ビットのデジタルデータに変換された第２のデジタルデータは、第２のバッファメモリに一旦書き込まれ読み出された後第２のエラー訂正符号化回路１８０に供給され、CIRCのアルゴリズムを用いたクロスインタリーブと４次のリード・ソロモン符号の組み合わせによる符号化が施される。第２のエラー訂正符号化回路１８０から出力される符号化データには第２の変調回路１８１によりＥＦＭ変調が施された後、第２の記録処理回路１８２により記録信号処理が施され、記録手段を構成する光ピックアップにより光ディスク１の第２の記録層６に第２の情報として記録される。
【０１０１】
ここで、第１の記録層４に記録される第１のデジタルデータと第２の記録層６に記録される第２のデジタルデータは、時間軸を一致するように記録される。
【０１０２】
なお、第１のオーディオ信号に基づく左右のフロントチャンネルデータを第２の記録層６に記録し、第２のオーディオ信号に基づく左右のリアチャンネルデータを第１の記録層４に記録するようにしてもよい。
【０１０３】
また、この記録装置７１にあっては、第１及び第２のエラー訂正符号化回路８０，１８０に第１及び第２のデジタル信号入力端子８３，１８３を設け、第１及び第２の記録層４，６に記録される第１及び第２の情報をデジタルデータとして直接第１及び第２のエラー訂正符号化回路８０，１８０に入力するようにしてもよい。
【０１０４】
さらに、第１及び第２の記録４、６に記録される関連する情報としては、上述したような歌唱とこの歌唱の伴奏音楽からある一連の楽曲から分離された伴奏音楽に相当するオーディオ情報と、歌唱とこの歌唱の伴奏音楽からある一連の楽曲の全体を含むオーディオ情報との組み合わせなどがある。
【０１０５】
記録装置７１は、第１及び第２の記録層４，６に第１及び第２の情報を記録した後、あるいは記録する前に光ディスク１のリードインエリア１５に、再生モードを示す識別信号を記録する。
【０１０６】
上述したように、第１及び第２の記録層４，６に互いに関連した情報を記録した光ディスク１は、図１５に示すような再生装置９０により再生される。
【０１０７】
この再生装置９０は、対物レンズを備えた光ピックアップを有し、対物レンズにより収束される再生用の光ビームを第１又は第２の記録層４，６に選択的に合焦させ、第１又は第２の記録層４，６から反射される戻りの光ビームを検出して第１及び第２の記録層４，６に記録された第１及び第２の情報の再生が行われる。
【０１０８】
再生装置７０は、図示しない回転駆動機構によって回転駆動される光ディスク１の第１の記録層４から光ピックアップによって読み出された信号を、再生信号処理部を構成する第１の再生部９１と第１の復調回路９２と第２のエラー訂正回路９３に順次送られる。第１の再生部９１は、光ピックアップから読み取られた信号にＲＦ処理を施しＲＦ信号を生成して第１の復調回路９２に送る。第１の復調回路９２は、ＲＦ信号に対してＥＦＭ復調処理を施し復調信号を第１のエラー訂正回路９３に送る。
【０１０９】
一方、光ディスク１の第２の記録層６から光ピックアップによって読み出された信号も第１の記録層４から読み出された信号と同様に、第２の再生部１９１と第２の復調回路１９２と第２のエラー訂正回路１９３に順次送られる。第２の再生部１９１は、光ピックアップから読み取られた信号にＲＦ処理を施しＲＦ信号を生成して第２の復調回路１９２に送る。第２の復調回路１９２は、ＲＦ信号に対してＥＦＭ復調処理を施し復調信号を第２のエラー訂正回路１９３に送る。
【０１１０】
ところで、再生装置９０には、図示しないが再生モード選択釦が用意されている。この再生モード選択釦は、光ディスク１の第１及び第２の記録層４，６にそれぞれ記録された第１及び第２の情報を選択するものである。
【０１１１】
そこで、第１及び第２のエラー訂正回路９３，１９３の出力は、選択された再生モードに応じて出力される。ここで、再生モード選択釦が操作され、光ディスク１に予め記録された識別信号にしたがった再生モード、すなわち第１及び第２の情報を演算して再生する再生モードが選択されたときには、第１及び第２の記録層４，６から読み出された第１及び第２の情報が、マルチプレクサ９４に供給される。第１及び第２の記録層４，６から読み出された第１及び第２の情報が供給されたマルチプレクサ９４は、光ディスク１に予め記録された識別信号にしたがって、第１の記録層４から読み出された第１の情報と第２の記録層６から読み出された第２の情報を加算又は減算する演算処理を施して再生信号として出力する。
【０１１２】
例えば、第１の記録層４に第１のオーディオ信号に基づく左右のフロントチャンネルデータが第１の情報として記録され、第２のオーディオ信号に基づく左右のリアチャンネルデータが第２の記録層６に第２の情報として記録されている場合に、マルチプレクサ９４は第１及び第２の記録層４，６から読み出された第１及び第２の情報を加算して出力する。
【０１１３】
マルチプレクサ９４により演算処理されたオーディオデータは、第１のエラー補間回路９５に供給されCIRCによるデコード処理が施されて、第１のＤ／Ａ変換器９６に供給され、第１のＤ／Ａ変換器９６によりアナログオーディオ信号に変換される。このアナログオーディオ信号は、第１のアパーチャ回路９７から第１の及び第１のローパスフィルタ（ＬＰＦ）９８に供給される。第１のＬＰＦ９８は約２０ＫＨｚをカットオフ周波数とするフィルタリング処理が施され、第１の増幅器９９を介して第１の出力端子１００から出力される。このとき、第１の出力端子１００にスピーカ装置やヘッドホン装置等の音響再生装置を接続することにより、第１の記録層４から読み出された第１の情報と第２の記録層６から読み出された第２の情報を加算したオーディオデータに基づく音響再生が行われる。
【０１１４】
また、第１の記録層４に歌唱とこの歌唱の伴奏音楽からなる一連の楽曲から分離された伴奏音楽に相当するオーディオ情報が第１の情報として記録され、第２の記録層６に歌唱に相当するオーディオ情報が第２の情報として記録さている場合に、識別信号が第１及び第２の記録層４，６から読み出された第１及び第２の情報を加算する信号として記録されていると、マルチプレクサ９４は第１及び第２の記録層４，６から読み出された第１及び第２の情報を加算した再生信号として出力する。この加算されたオーディオデータは、第１の記録層４に記録された伴奏音楽に相当する第１の情報と、第２の記録層６に記録された歌唱に相当する第２の情報を含む一連の楽曲のオーディオデータである。
【０１１５】
また、第１の記録層４に歌唱とこの歌唱の伴奏音楽からなる一連の楽曲の全体に相当するオーディオデータが第１の情報として記録され、第２の記録層６に歌唱に相当するオーディオデータが第２の情報として記録さている場合に、識別識別信号が第１の記録層４に記録された第１の情報から第２の記録層６に記録された第２の情報を減算させる信号として記録されていると、マルチプレクサ９４は第１の記録層４から読み出された第１の情報から第２の記録層６から読み出された第２の情報を減算した再生信号として出力する。この減算されたオーディオデータは、歌唱の伴奏音楽に相当するオーディオ情報のみを含むオーディオデータである。
【０１１６】
また、再生モード選択釦が操作され、光ディスク１の第１及び第２の記録層４，６から読み出された第１及び第２の情報をそれぞれ独立して出力する再生モードが選択されると、第１及び第２の記録層４，６から読み出された第１及び第２の情報は、第１及び第２の、第１及び第２のエラー訂正回路９３，１９３を介して第２及び第３のエラー補間回路１９５，２９５に供給されCIRCによるデコード処理が施されて、第２及び第３のＤ／Ａ変換器１９６，２９６に供給され、第２及び第３のＤ／Ａ変換器１９６，２９６によりアナログオーディオ信号に変換される。このアナログオーディオ信号は、第２及び第３のアパーチャ回路１９７，２９７から第２及び第３の第１のローパスフィルタ（ＬＰＦ）１９８，２９８に供給される。第２及び第３のＬＰＦ１９８，２９８は約２０ＫＨｚをカットオフ周波数とするフィルタリング処理が施され、第２及び第３の増幅器１９９，２９９を介して第２及び第３の出力端子２００，３００から出力される。このとき、第２及び第３の出力端子２００，３００にスピーカ装置やヘッドホン装置等の音響再生装置を接続することにより、第１及び第２の記録層４，６から読み出されたオーディオデータに基づく音響再生が行われる。このとき、第２又は第３の出力端子２００，３００から出力される信号を選択することにより、第１又は第２の記録層４，６に記録された第１又は第２の情報を選択的に再生し聴取することができる。
【０１１７】
上述した例では、記録媒体として光ディスクの例を挙げて説明したが、カード方式の光カードや半導体メモリ、さらには、ハードディスクや磁気ディスク等の記録媒体を用いたものであってもよい。この場合に、用いる記録媒体に応じた再生装置が用いられる。
【０１１８】
【発明の効果】
上述したように、本発明は、少なくとも第１の情報が記録されている第１の記録層と第２の情報が記録されている第２の記録層とを備え、第１の記録層と第２の記録層の少なくともいずれか一方の記録層の目録情報が記録されている目録情報領域に、第１の記録層に記録されている第１の情報と第２の記録層に記録されている第２の情報とを各々再生する再生モードを示す識別信号又は第１の記録層に記録されている第１の情報と第２の記録層に記録されている第２の情報とを演算して再生信号を生成する第２の再生モードを示す識別信号が記録されている記録媒体から第１の情報及び第２の情報を読み出し、第１の記録層に記録されている第１の情報と第２の記録層に記録されている第２の情報とを各々再生する識別信号を検出したとき、第１の記録層に記録されている第１の情報と第２の記録層に記録されている第２の情報とを各々再生するようにし、第１の記録層に記録されている第１の情報と第２の記録層に記録されている第２の情報とを演算して再生する識別信号を検出したとき、第１の記録層に記録されている第１の情報と第２の記録層に記録されている第２の情報とを演算して再生するようにしているので、多様な情報の再生を実現できる。
【図面の簡単な説明】
【図１】本発明に係る光ディスクの一例を示す断面図である。
【図２】上記光ディスクの平面図である。
【図３】本発明に係る光ディスクに設けられた第１及び第２の記録層に光ビームが照射される状態を示す図である。
【図４】本発明に係る光ディスクに記録された情報の再生信号が入力されるスピーカの配置例を示す図である。
【図５】光ディスクの第１及び第２の記録層に記録される第１及び第２の情報のデータ構造を示す図である。
【図６】光ディスクの第１及び第２の記録層に第１及び第２の情報を記録した状態を模式的に示す図である。
【図７】本発明に係る光ディスクに記録された情報の再生信号が入力されるスピーカの他の配置例を示す図である。
【図８】光ディスクの第１及び第２の記録層に記録される第１及び第２の情報のデータ構造の他の例を示す図である。
【図９】本発明に係る光ディスクに記録された情報の再生信号が入力されるスピーカのさらに他の配置例を示す図である。
【図１０】光ディスクの第１及び第２の記録層に記録される第１及び第２の情報のデータ構造のさらに他の例を示す図である。
【図１１】光ディスクの第１及び第２の記録層に記録される第１及び第２の情報のデータ構造のさらに他の例を示す図である。
【図１２】本発明に係る光ディスクの他の例を示す断面図である。
【図１３】本発明に係る光ディスクを再生する再生装置を示すブロック図である。
【図１４】図１３に示した再生装置により光ディスクの第１及び第２の記録層に記録された第１及び第２の情報を再生するための切り換えタイミングを示す図である。
【図１５】光ディスクの第１及び第２の記録層に第１及び第２の情報を記録する記録装置及びこの記録装置によって記録された第１及び第２の情報を再生する再生装置を示すブロック図である。
【符号の説明】
１  光ディスク、  ４  第１の記録層、  ６  第２の記録層、  １５  リードインエリア、  ５０  記録装置、  ５１  光ピックアップ、  ５２  信号読み出し部、  ５５  バッファメモリ、  ５６  バッファマネジメント部、  データ混合部５７、  ５８  サーボ回路、  ５９  切換部、  ６１  並列又は混合読み出し判別部、  ６２  ＣＰＵ。
【図１】
0004300642.tif 000002
【図２】
0004300642.tif 000003
【図３】
0004300642.tif 000004
【図４】
0004300642.tif 000005
【図５】
0004300642.tif 000006
【図６】
0004300642.tif 000007
【図７】
0004300642.tif 000008
【図８】
0004300642.tif 000009
【図９】
0004300642.tif 000010
【図１０】
0004300642.tif 000011
【図１１】
0004300642.tif 000012
【図１２】
0004300642.tif 000013
【図１３】
0004300642.tif 000014
【図１４】
0004300642.tif 000015
【図１５】
0004300642.tif 000016